(57)【要約】【課題】締結解除のための専用工具が不要で、ナットの回動操作のみで締結及び締結解除が可能な軸と回転体の締結構造を提供する。【解決手段】軸端部にテーパ部１ａ及びおねじ部１ｂを有する軸１と軸１のテーパ部１ａと同一のテーパ角のテーパ穴２ａを有する歯車（回転体）２を軸１のおねじ部１ｂにナットを締め付けることにより締結する軸１と歯車（回転体）２の締結構造において、ナットには座面３ａ側につば３ｂを有するつば付きナット３を使用し、歯車（回転体）２はテーパ穴２ａの小径側の端面に円筒状凹部２ｂを有し、つば付きナット３の座面３ａが歯車（回転体）２の円筒状凹部２ｂの底面２ｄに当接し、つば付きナット３のつば３ｂは円筒状凹部２ｂ内に装着された止め輪４の一側面と対向し、軸１のおねじ部１ｂにつば付きナット３を締め付けることにより軸１と歯車（回転体）２を締結するものである。【選択図】図１
2006037996.tif 000002
【特許請求の範囲】
【請求項１】
軸端部にテーパ部及びおねじ部を有する軸と該軸の前記テーパ部と同一のテーパ角のテーパ穴を有する回転体を前記軸の前記おねじ部にナットを締め付けることにより締結する軸と回転体の締結構造において、
前記ナットには座面側につばを有するつば付きナットを使用し、前記回転体は前記テーパ穴の小径側の端面に円筒状凹部を有し、前記つば付きナットの座面が前記回転体の前記円筒状凹部の底面に当接し、前記つば付きナットの前記つばは前記円筒状凹部内に装着された止め輪の一側面と対向し、前記軸のおねじ部に前記つば付きナットを締め付けることにより前記軸と前記回転体を締結することを特徴とする軸と回転体の締結構造。
【発明の詳細な説明】
【技術分野】
【０００１】
本発明は、軸端部にテーパ部及びおねじ部を有する軸と軸のテーパ部と同一のテーパ角のテーパ穴を有する回転体を軸のおねじ部にナットを締め付けることにより締結する軸と回転体の締結構造に関するものである。
【背景技術】
【０００２】
従来、軸と回転体の締結構造として、軸端部にテーパ部及びおねじ部を有する軸と軸のテーパ部と同一のテーパ角のテーパ穴を有する歯車（回転体）を軸のおねじ部にナットを締め付けることにより締結するものがある（例えば、特許文献１参照）。
【特許文献１】特開平５−１６４１３４号公報
【発明の開示】
【発明が解決しようとする課題】
【０００３】
ところで、上記特開平５−１６４１３４号公報に開示された軸と歯車（回転体）の締結構造においては、軸のおねじ部にナットを締め付けることにより歯車（回転体）のテーパ穴と軸のテーパ部との楔作用で締結するが、締結の解除の際はナットを緩めても軸から歯車（回転体）を引き抜く機構がないため、歯車（回転体）のテーパ穴と軸のテーパ部との間がロックし、軸から歯車（回転体）を引き抜くことが困難である。したがって、締結の解除の際に軸から歯車（回転体）を引き抜くための専用工具を必要とするという問題がある。
【０００４】
そこで、本発明は、締結解除のための専用工具が不要で、ナットの回動操作のみで締結及び締結解除が可能な軸と回転体の締結構造を提供することを課題とするものである。
【課題を解決するための手段】
【０００５】
請求項１記載の発明は、前記課題を解決するために、軸端部にテーパ部及びおねじ部を有する軸と該軸の前記テーパ部と同一のテーパ角のテーパ穴を有する回転体を前記軸の前記おねじ部にナットを締め付けることにより締結する軸と回転体の締結構造において、前記ナットには座面側につばを有するつば付きナットを使用し、前記回転体は前記テーパ穴の小径側の端面に円筒状凹部を有し、前記つば付きナットの座面が前記回転体の前記円筒状凹部の底面に当接し、前記つば付きナットの前記つばは前記円筒状凹部内に装着された止め輪の一側面と対向し、前記軸のおねじ部に前記つば付きナットを締め付けることにより前記軸と前記回転体を締結するものである。
【発明の効果】
【０００６】
請求項１記載の発明によれば、ナットには座面側につばを有するつば付きナットを使用し、回転体はテーパ穴の小径側の端面に円筒状凹部を有し、つば付きナットの座面が回転体の円筒状凹部の底面に当接し、つば付きナットのつばは円筒状凹部内に装着された止め輪の一側面と対向し、軸のおねじ部につば付きナットを締め付けることにより軸と回転体を締結するものであるので、つば付きナットの回動操作のみで締結及び締結解除が可能で、締結解除のための専用工具が不要となるという効果を有する。また、締結解除の後、つば付きナットは止め輪により回転体に対して抜け止めされているので、つば付きナットは散逸することがないという効果も有する。
【発明を実施するための最良の形態】
【０００７】
軸端部にテーパ部及びおねじ部を有する軸と軸のテーパ部と同一のテーパ角のテーパ穴を有する歯車（回転体）を軸のおねじ部にナットを締め付けることにより締結する軸と歯車（回転体）の締結構造において、ナットには座面側につばを有するつば付きナットを使用し、歯車（回転体）はテーパ穴の小径側の端面に円筒状凹部を有し、つば付きナットの座面が歯車（回転体）の円筒状凹部の底面に当接し、つば付きナットのつばは円筒状凹部内に装着された止め輪の一側面と対向し、軸のおねじ部につば付きナットを締め付けることにより軸と歯車（回転体）を締結するものである。その実施例を以下に説明する。
【実施例】
【０００８】
本発明の実施例を図１，２，３に基づいて説明する。図１は本発明の実施例の締結構造の断面図である。図２は図１に示す締結構造に使用するつば付きナットの座面と反対側の側面図である。図３は図１に示す締結構造に使用するつば付きナットの座面側の側面図である。
【０００９】
図１に示すように、本発明の実施例の締結構造は、後述するつば付きナット３を使用して、軸１の軸端部に歯車（回転体）２を締結するものである。
【００１０】
軸１は軸端部にテーパ部１ａ及びおねじ部１ｂを有している。軸１の軸端部に締結される歯車（回転体）２は軸１のテーパ部１ａと同一のテーパ角のテーパ穴２ａを中心穴として有し、テーパ穴２ａの小径側の端面に円筒状凹部２ｂを有し、円筒状凹部２ｂには、後述する止め輪４を装着するための止め輪用溝２ｃが形成されている。
【００１１】
図２，３に示すように、締結に使用するつば付きナット３は、座面３ａ側につば３ｂを有し、座面３ａと反対側の外周面には６個の工具係合面３ｃを形成している。この６個の工具係合面３ｃは汎用スパナが係合する工具係合部を構成している。なお、工具係合面３ｃは６個に限定されるものではなく、４個あるいは８個等の偶数個形成されていてもよい。また、つば付きナット３の中心には軸１のおねじ部１ｂと螺合するめねじ部３ｄが形成されている。
【００１２】
次に、軸１と歯車（回転体）２の締結について説明する。まず、軸１のテーパ部１ａに歯車（回転体）２のテーパ穴２ａを挿入する。この状態で、つば付きナット３の座面３ａが歯車（回転体）２の円筒状凹部２ｂの底面２ｄに当接するまでつば付きナット３のめねじ部３ｄを軸１のおねじ部１ｂにねじ込む。続いて、円筒状凹部２ｂ内の止め輪用溝２ｃに止め輪４を装着する。なお、止め輪４は１箇所に切り欠きがあり、装着の際に外径が弾性的に縮径する。そして、この止め輪４の装着により、止め輪４の一側面とつば付きナット３のつば３ｂは対向している。次に、汎用スパナ（工具）でつば付きナット３を締め付けると、つば付きナット３の座面３ａが歯車（回転体）２の円筒状凹部２ｂの底面２ｄを軸方向に押圧し、歯車（回転体）２のテーパ穴２ａが軸１のテーパ部１ａに押し込まれ、テーパ部１ａとテーパ穴２ａとの間の摩擦力によって歯車（回転体）２は軸１に締結される。
【００１３】
次に、軸１と歯車（回転体）２の締結の解除について説明する。まず、汎用スパナ（工具）で、締め付け状態にあるつば付きナット３を逆回動して緩めると、つば付きナット３は軸方向に移動してつば付きナット３のつば３ｂが止め輪４の一側面に当接する。さらに、つば付きナット３を逆回動して緩めると、つば付きナット３のつば３ｂは止め輪４の一側面を押圧し、止め輪４を介して歯車（回転体）２は軸方向に移動する。その結果、軸１のテーパ部１ａと歯車（回転体）２のテーパ穴２ａとの間の摩擦力が解消し、軸１と歯車（回転体）２の締結が解除される。
【００１４】
上記実施例によれば、ナットには座面３ａ側につば３ｂを有するつば付きナット３を使用し、歯車（回転体）２はテーパ穴２ａの小径側の端面に円筒状凹部２ｂを有し、つば付きナット３の座面３ａが歯車（回転体）２の円筒状凹部２ｂの底面２ｄに当接し、つば付きナット３のつば３ｂは円筒状凹部２ｂ内に装着された止め輪４の一側面と対向し、軸１のおねじ部１ｂにつば付きナット３を締め付けることにより軸１と歯車（回転体）２を締結するものであるので、つば付きナット３の回動操作のみで締結及び締結解除が可能で、締結解除のための専用工具が不要となるという効果を有する。また、締結解除の後、つば付きナット３は止め輪４により歯車（回転体）２に対して抜け止めされているので、つば付きナット３は散逸することがないという効果も有する。
【００１５】
なお、上記実施例では、回転体として歯車２の例を示したが、請求項１記載の発明においては、回転体は歯車に限定されるものではなく、スプロケット、プーリ、カム等の回転体にも適用できるものである。
【図面の簡単な説明】
【００１６】
【図１】本発明の実施例の締結構造の断面図である。
【図２】図１に示す締結構造に使用するつば付きナットの座面と反対側の側面図である。
【図３】図１に示す締結構造に使用するつば付きナットの座面側の側面図である。
【符号の説明】
【００１７】
１    軸
１ａ  テーパ部
１ｂ  おねじ部
２    歯車（回転体）
２ａ  テーパ穴
２ｂ  円筒状凹部
２ｃ  止め輪用溝
２ｄ  円筒状凹部の底面
３    つば付きナット
３ａ  座面
３ｂ  つば
３ｃ  工具係合面
３ｄ  めねじ部
４    止め輪
【図１】
2006037996.tif 000003
【図２】
2006037996.tif 000004
【図３】
2006037996.tif 000005